(57)【特許請求の範囲】
【請求項１】
窓穴を有する額縁状の形態であって、外枠の前面に開閉自在に取り付けられる合成樹脂製の前枠と、
前記前枠に一体成形され、その前面に発射レールを取り付けるようにした発射基板と、
遊技板の周側縁に当接して該遊技板を保持する形態であって、前記前枠裏面に着脱自在に装着した桟枠と、を有し、
前記桟枠は、左右の横桟と、その横桟から遊技板の下側縁を受け支えるように突設した下桟と、を有することを特徴とするパチンコ機。
【請求項２】
前記発射基板の前側上部を薄い板状に形成して該発射基板の後側上部と遊技板の下側縁後部との間に隙間が出来るようにしたことを特徴とする請求項１記載のパチンコ機。
【発明の詳細な説明】
【０００１】
【産業上の利用分野】
本発明は、パチンコ機に関するものである。
【０００２】
【従来の技術】
前枠と遊技板取付用の桟枠とを樹脂成型用金型を用いて成型時に一体成形するようにした技術が特公平５−５５１７号に記載されている。この従来技術の桟枠には発射レール取付用の発射基板も含まれており、前枠と発射基板も合成樹脂の一体構造である。
【０００３】
【発明が解決しようとする課題】
しかし、上記従来技術には解決すべき次のような問題点が存在する。
(1) 前枠と、発射基板を含む桟枠とを一体成形しようとすると、形状が複雑になるから金型代が高くなる。特に前枠は、関東仕様と関西仕様で横幅が異なるという特殊な事情があるため、金型を二種類作るコストの負担が相当重い。
(2) 前記のように金型形状が複雑になると、型抜き作業に手間が掛かるため作業性が悪く、また、製品の不良率も高くなる。
(3) 桟枠には、機構板の軸受部材や止め金具などが組み込まれるが、前枠と桟枠が一体成形品であると、軸受部材や止め金具が損傷したような場合に、前枠全体を交換しなければならないから極めて不経済である。
【０００４】
【課題を解決するための手段】
上記の問題点を全て解消するため本発明は、窓穴を有する額縁状の形態であって、外枠の前面に開閉自在に取り付けられる合成樹脂製の前枠と、前記前枠に一体成形され、その前面に発射レールを取り付けるようにした発射基板と、遊技板の周側縁に当接して該遊技板を保持する形態であって、前記前枠裏面に着脱自在に装着した桟枠と、を有し、前記桟枠は、左右の横桟と、その横桟から遊技板の下側縁を受け支えるように突設した下桟と、を有するパチンコ機を提供する。
【０００５】
また、請求項２に記載したように、前記発射基板の前側上部を薄い板状に形成して該発射基板の後側上部と遊技板の下側縁後部との間に隙間が出来るようにした請求項１記載のパチンコ機を提供する。
【０００６】
【作用】
前枠と桟枠を別々に成形するようにしたから、前枠の金型形状をシンプルにすることができ、また、桟枠側の部品が損傷等した場合に、桟枠だけを交換すればよい。
また、桟枠は、左右の横桟に横向きの下桟を設けて遊技板の下側縁を受け支えるように構成したため、発射基板に遊技板の荷重が加わらない。
【０００７】
また、請求項２に記載のパチンコ機は、発射基板の後面上部と遊技板の下側縁後部との間に隙間が出来るため、その隙間に指を入れて遊技板の着脱が容易に行える。
【０００８】
【実施例】
以下に本発明の実施例を図面を参照しつつ説明する。なお、図１は前枠と桟枠と遊技板を分解状態に配列した概略斜視図、図２は前枠の裏側を示す分解斜視図、図３は桟枠の分解斜視図、図４は前枠の正面斜視図、図５は前枠に桟枠を取り付けて遊技板を分解状態に配列した斜視図、図６は発射基板と遊技板の当接部分を示す一部拡大断面図、図７はパチンコ機の裏面図である。
【０００９】
パチンコ機Ｐは、図７に示すように、四角いリング形状の外枠１と、該外枠１の前面に扉状に開閉自在に取り付けた前枠２と、該前枠２の裏側に取り付けた桟枠３と、その桟枠３に嵌合する遊技板４と、遊技板４の裏面に重合する状態で桟枠３に枢着した機構板１１と、から概略構成される。
【００１０】
前枠２は、図４に示すように、窓穴５を有する額縁形状であり、その窓穴５の下側に発射基板６を設けた形態である。前枠２と発射基板６は合成樹脂製であって、樹脂成形用金型を用いて成型時に一体成形される。発射基板６は、その前面が前記遊技板４の前面と面一になるように奥行き寸法が設定されているが、後述するように遊技板４を支える必要がないため、図６のように遊技板４の下側縁に軽く接触するか又は若干隙間が出来る程度に高さ寸法が設定され、尚且つ、上部６ａが薄い板状になっている。また、発射基板６には前面に発射レール８が固着されており、打球槌７の弾発動作でこの発射レール８から遊技板４の遊技部にパチンコ球が打ち出される。
【００１１】
なお、前枠２と発射基板６の各裏面には、遊技板４のアウト球口９に連通する排出樋１０と、発射基板６下端のファール球回収口２１及び機構板１１の景品球排出樋１１ａと下の球皿（図示せず）とを繋ぐ誘導樋１２が形成されており、その排出樋１０と誘導樋１２が一枚の蓋板１３で塞がれている。また、前枠２と発射基板６の各裏面には、補強用のリブＺ，Ｚ…が設けられているが、言うまでもなくこのリブの形態はどのようなものでもよい。
【００１２】
桟枠３は、図３に示すように、上桟３Ｕと左右の横桟３Ｌ，３Ｒとの組み合わせであって、全部が合成樹脂の成型品であり、夫々が前枠２の窓穴５周縁にビス１４，１４…で固着されている。左右の横桟３Ｌ，３Ｒは、窓穴５の中心に向けて突設した短い下桟１５Ｌ，１５Ｒを下端に有し、該下桟１５Ｌ，１５Ｒで遊技板４の下側縁を受け支える。従って、遊技板４は、桟枠３で完全に保持されることとなり、発射基板６に荷重が加わらない。
【００１３】
なお、桟枠３の上桟３Ｕには、遊技板４の上縁に係合するフック片２２が一体に突設され、さらに、遊技板４を押圧して固定する締め金具１６がビス１７で回転自在に止められている。また、左側の横桟３Ｌには、前記締め金具１６に加えて機構板１１を固定するロック片１８が一体成形されている。また、右側の横桟３Ｒには、前記締め金具１６に加えて機構板１１を枢支する軸受部材１９が一体成形され、さらに、下桟１５Ｒに、機構板１１の景品球排出樋１１ａと上部の球皿（図示せず）を繋ぐ球通路２０が形成されている。
【００１４】
本発明のパチンコ機Ｐは以上のように構成されているため、桟枠３に遊技板４を嵌めて締め金具１６でその裏面を押圧すると、該遊技板４が下桟１５Ｌ，１５Ｒによって受け支えられ、且つ、横桟３Ｌ，３Ｒによって横方向に位置決めされ、この状態で前枠２にしっかりと固定される。また、遊技板４を前枠２から取り外す場合は、機構板１１を開いて締め金具１６を外すことにより簡単に外れる。なお、実施例のように、発射基板６の上部６ａを薄い板状にしておけば、図６のように遊技板４の下側縁に適当な隙間Ｓが出来るため、そこに指を入れて作業すれば着脱が簡単である。
【００１５】
以上本発明を実施例について説明したが、もちろん本発明は上記実施例に限定されるものではない。例えば、実施例では、桟枠３を上桟３Ｕ，横桟３Ｌ，３Ｒの三部材で形成したが、これらを四部材にしたり、逆に一体化してもよい。また、下桟１５Ｌ，１５Ｒを一本に繋いで遊技板４の下側縁を完全に支えるようにしてもよい。また、実施例では横桟３Ｌ，３Ｒにロック片１８や軸受部材１９を一体成形するようにしたが、図８，図９のようにロック片１８や軸受部材１９を金属製にして桟枠３にインサートするようにしてもよい。
【００１６】
【発明の効果】
本発明のパチンコ機は、前枠と発射基板を一体成形し、桟枠を独立した部品として別途成形するようにしたため、前枠の金型形状をシンプルにすることができる。その結果、金型代が安くなり、また、型抜き作業にも手間が掛からないから作業性も向上し、また、製品の不良率も激減する。また、桟枠側の部品が損傷等しても、桟枠だけを交換すればよいため、経済的で無駄がない、などの効果がある。
また、桟枠は、左右の横桟に横向きの下桟を設けて遊技板の下側縁を受け支えるように構成したため、発射基板に遊技板の荷重が加わらない。
【００１７】
また、請求項２に記載のパチンコ機は、発射基板の後面上部と遊技板の下側縁後部との間に隙間が出来るため、その隙間に指を入れて遊技板の着脱が容易に行える効果がある。
【図面の簡単な説明】
【図１】  前枠と桟枠と遊技板を分解状態に配列した概略斜視図である。
【図２】  前枠の裏側を示す分解斜視図である。
【図３】  桟枠の分解斜視図である。
【図４】  前枠の正面斜視図である。
【図５】  前枠に桟枠を取り付けて遊技板を分解状態に配列した斜視図である。
【図６】  発射基板と遊技板の当接部分を示す一部拡大断面図である。
【図７】  パチンコ機の裏面図である。
【図８】  他の実施例を示す横桟の一部拡大断面図である。
【図９】  他の実施例を示す横桟の一部拡大断面図である。
【符号の説明】
１  …外枠
２  …前枠
３  …桟枠
３Ｌ，３Ｒ…横桟
４  …遊技板
５  …窓穴
６  …発射基板
８  …発射レール
１５Ｌ，１５Ｒ…下桟
Ｐ  …パチンコ機
【図１】
0003903488.tif 000002
【図２】
0003903488.tif 000003
【図３】
0003903488.tif 000004
【図４】
0003903488.tif 000005
【図５】
0003903488.tif 000006
【図６】
0003903488.tif 000007
【図７】
0003903488.tif 000008
【図８】
0003903488.tif 000009
【図９】
0003903488.tif 000010